(57)【要約】【課題】デジタルオーディオ放送とアナログオーディオ放送とで同じ内容の音声割り込みが発生した場合であっても、同じ音声の繰り返し出力を防止することができる放送受信装置および放送受信方法を提供する。【解決手段】割り込み判定部６ｂが、ＤＡＢを受信中にＦＭ放送の割り込みが発生した場合、ＤＡＢの受信信号から検出したリンク情報に基づいて、割り込みの放送局が受信中のＤＡＢのリンク局ではない場合に割り込みが有効であると判定し、割り込みの放送局がリンク局である場合には割り込みが無効であると判定し、音声制御部６ｄが、割り込み判定部６ｂが有効と判定した割り込みの音声出力を行い、無効と判定した割り込みの音声出力を行わないよう制御する。【選択図】図６
2014175768.tif 000002
【特許請求の範囲】
【請求項１】
デジタルオーディオ放送とアナログオーディオ放送を受信する放送受信装置において、
前記デジタルオーディオ放送を受信中に前記アナログオーディオ放送の割り込みが発生した場合、前記デジタルオーディオ放送の受信信号から検出したリンク情報に基づいて、前記割り込みの放送局が受信中の前記デジタルオーディオ放送のリンク局ではない場合、前記割り込みが有効であると判定し、前記割り込みの放送局が前記リンク局である場合には、前記割り込みが無効であると判定する割り込み判定部と、
前記割り込み判定部が有効と判定した前記割り込みの音声出力を行い、無効と判定した前記割り込みの音声出力を行わないよう制御する音声制御部とを備えたことを特徴とする放送受信装置。
【請求項２】
前記割り込み判定部は、前記アナログオーディオ放送および前記デジタルオーディオ放送のいずれか一方の割り込みの音声出力が終了した時点で、前記アナログオーディオ放送および前記デジタルオーディオ放送の他方の割り込みの音声出力が終了していない場合、音声出力が終了した前記一方の割り込みの放送局が前記他方の割り込みのリンク局でない場合に、前記他方の割り込みを有効と判定し、前記一方の割り込みの放送局が前記リンク局である場合は、前記他方の割り込みを無効と判定することを特徴とする請求項１記載の放送受信装置。
【請求項３】
前記割り込み判定部は、前記割り込みの放送局が前記リンク局であっても、前記デジタルオーディオ放送の受信状態が所定の条件よりも悪化している場合には、前記割り込みを有効であると判定することを特徴とする請求項１記載の放送受信装置。
【請求項４】
前記割り込み判定部は、前記アナログオーディオ放送の割り込みの放送局が、受信中の前記デジタルオーディオ放送のアンサンブルに規定されているサービスのいずれかのリンク局である場合に前記割り込みが無効であると判定し、いずれのリンク局でもない場合には前記割り込みが有効であると判定することを特徴とする請求項１記載の放送受信装置。
【請求項５】
デジタルオーディオ放送とアナログオーディオ放送を受信する放送受信装置の割り込み判定方法において、
前記放送受信装置の割り込み判定部が、前記デジタルオーディオ放送を受信中に前記アナログオーディオ放送の割り込みが発生した場合、前記デジタルオーディオ放送の受信信号から検出したリンク情報に基づいて、前記割り込みの放送局が受信中の前記デジタルオーディオ放送のリンク局ではない場合、前記割り込みが有効であると判定し、前記割り込みの放送局が前記リンク局である場合には、前記割り込みが無効であると判定するステップと、
前記放送受信装置の音声制御部が、前記割り込み判定部が有効と判定した前記割り込みの音声出力を行い、無効と判定した前記割り込みの音声出力を行わないよう制御するステップとを備えたことを特徴とする割り込み判定方法。
【発明の詳細な説明】
【技術分野】
【０００１】
この発明は、デジタルオーディオ放送（Ｄｉｇｉｔａｌ  Ａｕｄｉｏ  Ｂｒｏａｄｃａｓｔｉｎｇ；以下、ＤＡＢと記載する）とＦＭ放送などのアナログオーディオ放送を受信する放送受信装置および放送受信方法に関する。
【背景技術】
【０００２】
ＤＡＢとＦＭ放送を受信可能な放送受信装置において、ＤＡＢとＦＭ放送とで同じ内容の音声割り込みイベントが発生した場合に、その発生順に割り込みを有効にしていくと、一方の音声割り込み放送が終了した時点で、ＤＡＢとＦＭとのタイムラグによって同じ音声が繰り返し出力されるという問題があった。
この問題を解消するために提案された従来の技術として、例えば、特許文献１に開示される受信機では、先に検出された割り込みを所定時間だけ保留して同じ内容の割り込みが発生するか否かを確認してから割り込みを有効にしている。
【先行技術文献】
【特許文献】
【０００３】
【特許文献１】特開平１０−３０３８３５号公報
【発明の概要】
【発明が解決しようとする課題】
【０００４】
特許文献１に代表される従来の技術では、先に検出された割り込みを所定時間保留するため、保留された時間だけ割り込みの音声が出力されず、音声の冒頭部分を聞くことができないという課題があった。
【０００５】
この発明は、上記のような課題を解決するためになされたもので、デジタルオーディオ放送とアナログオーディオ放送とで同じ内容の音声割り込みが発生した場合であっても、同じ音声の繰り返し出力を防止することができる放送受信装置および割り込み判定方法を得ることを目的とする。
【課題を解決するための手段】
【０００６】
この発明に係る放送受信装置は、デジタルオーディオ放送とアナログオーディオ放送を受信する放送受信装置において、デジタルオーディオ放送を受信中にアナログオーディオ放送の割り込みが発生した場合、デジタルオーディオ放送の受信信号から検出したリンク情報に基づいて、割り込みの放送局が受信中のデジタルオーディオ放送のリンク局ではない場合、割り込みが有効であると判定し、割り込みの放送局がリンク局である場合には、割り込みが無効であると判定する割り込み判定部と、割り込み判定部が有効と判定した割り込みの音声出力を行い、無効と判定した割り込みの音声出力を行わないよう制御する音声制御部とを備えたことを特徴とする。
【発明の効果】
【０００７】
この発明によれば、デジタルオーディオ放送とアナログオーディオ放送とで同じ内容の音声割り込みが発生した場合であっても、同じ音声の繰り返し出力を防止することができるという効果がある。
【図面の簡単な説明】
【０００８】
【図１】この発明に係る放送受信装置の構成を示すブロック図である。
【図２】ＤＡＢサービスの構成の一例を示す図である。
【図３】ＤＡＢデータの構造を示す図である。
【図４】ＦＩＢの構造を示す図である。
【図５】ＦＩＧの構造を示す図である。
【図６】ＤＡＢとＦＭ放送で同じ内容の割り込みが発生した場合を示す図である。
【図７】実施の形態１に係る放送受信装置の動作を示すフローチャートである。
【図８】ＦＭ放送の割り込みの音声出力終了後に同じ内容のＤＡＢの割り込みの音声出力が未終了である場合を示す図である。
【図９】実施の形態２に係る放送受信装置の動作を示すフローチャートである。
【図１０】実施の形態３に係る放送受信装置の動作を示すフローチャートである。
【図１１】実施の形態４に係る放送受信装置の動作を示すフローチャートである。
【発明を実施するための形態】
【０００９】
実施の形態１．
図１は、この発明に係る放送受信装置の構成を示すブロック図である。図１に示す放送受信装置は、例えばアナログオーディオ放送であるＦＭ放送とデジタルオーディオ放送であるＤＡＢを受信する受信装置であり、ＦＭアンテナ１、ＦＭチューナ２、ＤＡＢアンテナ３、ＤＡＢチューナ４、ＤＡＢデコーダ５、マイコン６、ＣＤプレーヤ７、ＤＳＰ（Ｄｉｇｔａｌ  Ｓｉｇｎａｌ  Ｐｒｏｃｅｓｓｏｒ）８、アンプ（ＡＭＰ）９およびスピーカ１０を備えて構成される。
マイコン６は、機能構成としてＲＤＳ（Ｒａｄｉｏ  Ｄａｔａ  Ｓｙｓｔｅｍ）解析部６ａ、割り込み判定部６ｂ、ＦＩＣ（Ｆａｓｔ  Ｉｎｆｏｍａｔｉｏｎ  Ｃｈａｎｎｅｌ）解析部６ｃおよび音声制御部６ｄを備える。また、ＤＳＰ８は、ＲＤＳデコーダ８ａを備える。
【００１０】
ＦＭアンテナ１は、ＦＭ放送信号を受信する。ＦＭチューナ２は、ＦＭアンテナ１で受信されたＦＭ信号を中間周波数（ＩＦ）信号に変換する。ＤＳＰ８のＲＤＳデコーダ８ａは、ＩＦ信号からＲＤＳ信号を抽出する。マイコン６のＲＤＳ解析部６ａは、ＲＤＳデコーダ８ａが抽出したＲＤＳ信号をデータ解析する。
一方、ＤＡＢアンテナ３は、ＤＡＢ放送信号を受信する。ＤＡＢチューナ４は、ＤＡＢアンテナ３で受信されたＤＡＢ信号をＩ２Ｓ変換する。ＤＡＢデコーダ５は、Ｉ２Ｓフォーマットに変換された信号からＦＩＣを抽出する。マイコン６のＦＩＣ解析部６ｃでは、ＤＡＢデコーダ５が抽出したＦＩＣをデータ解析する。
【００１１】
割り込み判定部６ｂは、ＲＤＳ解析部６ａとＦＩＣ解析部６ｃのデータ解析により検出された割り込み要求信号とリンク情報とを用いて、現在受信中の放送に対する割り込みを有効にするか無効にするかを判定する。音声制御部６ｄは、ＤＳＰ８に指示して、割り込み判定部６ｂが有効と判定した割り込みの音声出力を行い、無効と判定された割り込みの音声出力を行わないよう制御する。割り込み判定部６ｂに有効と判定された割り込みは、ＤＳＰ８によって音声信号に変換され、ＡＭＰ９で増幅された後、スピーカ１０によって音声出力される。また、ＤＳＰ８は、ＣＤの再生が選択されている場合、ＣＤプレーヤ７からの再生音声を、ＡＭＰ９を介してスピーカ１０から音声出力する。
【００１２】
図２は、ＤＡＢのサービス構成の一例を示す図である。図２に示す例おいて、アンサンブルラベルが“ＤＡＢ  ＥＮＳＥＭＢＬＥ  ＯＮＥ”のアンサンブルは、サービスラベルが“ＡＬＰＨＡ１  ＲＡＤＩＯ”、“ＢＥＴＡ  ＲＡＤＩＯ”、“ＡＬＰＨＡ２  ＲＡＤＩＯ”などの複数のＳｅｒｖｉｃｅを含んでいる。ユーザは、各放送局（サービス）に割り当てられた個別のＳＩｄ（Ｓｅｒｖｉｃｅ  Ｉｄｅｎｔｉｆｉｅｒ）を選択することにより、所望のサービスの音声が再生される。
【００１３】
“ＡＬＰＨＡ１  ＲＡＤＩＯ”は、サービス成分（Ｓｅｒｖｉｃｅ  Ｃｏｍｐｏｎｅｎｔｓ）として、プライマリコンポーネントを１個、セカンダリコンポーネントを１個有している。ここで、プライマリコンポーネントは“Ａｕｄｉｏ”であり、セカンダリコンポーネントは交通メッセージチャネル（ＴＭＣ；Ｔｒａｆｆｉｃ  Ｍｅｓｓａｇｅ  Ｃｈａｎｎｅｌ）である。Ａｕｄｉｏは、ＭＳＣ（Ｍａｉｎ  Ｓｅｒｖｉｃｅ  Ｃｈａｎｎｅｌ）内のサブチャネル（ＳｕｂＣｈａ）で伝送され、ＴＭＣは、ＦＩＣ（Ｆａｓｔ  Ｉｎｆｏｒｍａｔｉｏｎ  Ｃｈａｎｎｅｌ）内のＦＩＤＣ（Ｆａｓｔ  Ｉｎｆｏｒｍａｔｉｏｎ  Ｄａｔａ  Ｃｈａｎｎｅｌ）で伝送される。
【００１４】
“ＢＥＴＡ  ＲＡＤＩＯ”は、プライマリコンポーネントの“Ａｕｄｉｏ”とセカンダリコンポーネントの“Ａｕｄｉｏ”との２個のサービス成分を有し、これらは、ＭＳＣのサブチャネルＳｕｂＣｈｂとＳｕｂＣｈｃでそれぞれ伝送される。
【００１５】
“ＡＬＰＨＡ２  ＲＡＤＩＯ”は、“ＡＬＰＨＡ１  ＲＡＤＩＯ”と同一のＴＭＣを持ち、自身の“Ａｕｄｉｏ”をサブチャンネルＳｕｂＣｈｄで伝送するとともに、スイッチ切り替えによって、“ＡＬＰＨＡ１  ＲＡＤＩＯ”と同じ“Ａｕｄｉｏ”をサブチャンネルＳｕｂＣｈａで伝送することができる。
【００１６】
図３は、ＤＡＢのデータの構造を示す図であり、ＤＡＢの送信フレームの構成を示している。図３に示すように、送信フレーム（Ｔｒａｎｓｍｉｓｓｉｏｎ  ｆｒａｍｅ）は、同期チャネル（Ｓｙｎｃｈｒｏｎｉｚａｔｉｏｎ  Ｃｈａｎｎｅｌ）、ＦＩＣ（Ｆａｓｔ  Ｉｎｆｏｒｍａｔｉｏｎ  Ｃｈａｎｎｅｌ）およびＭＳＣ（Ｍａｉｎ  Ｓｅｒｖｉｃｅ  Ｃｈａｎｎｅｌ）を有している。
ＦＩＣは、複数のＦＩＢ（Ｆａｓｔ  Ｉｎｆｏｒｍａｔｉｏｎ  Ｂｌｏｃｋ）から構成されている。また、ＭＳＣは、複数のＣＩＦ（Ｃｏｍｍｏｎ  Ｉｎｔｅｒｌｅａｖｅｄ  Ｆｒａｍｅ）から構成されている。
【００１７】
ＤＡＢは、モード１からモード３までの仕様があらかじめ決められており、モードごとに、送信フレームの時間（ｄｕｒａｔｉｏｎ）と、１送信フレーム内のＦＩＢとＣＩＦの個数が異なっている。例えば、モード１では、１送信フレームの時間は９６ｍｓであり、１送信フレーム内のＦＩＢとＣＩＦの個数はそれぞれ１２個と４個となる。
【００１８】
図４は、ＦＩＢの構造を示す図である。図４に示すように、ＦＩＢは、２５６ビットのデジタルデータであり、前部の３０バイトのＦＩＢデータ領域（ＦＩＢ  ｄａｔａ  ｆｉｅｌｄ）と後部の１６ビットのＣＲＣ（Ｃｙｃｌｉｃ  Ｒｅｄｕｎｄａｎｃｙ  Ｃｈｅｃｋ  ｗｏｒｄ）から構成されている。
ＦＩＢデータ領域は、複数のＦＩＧ（Ｆａｓｔ  Ｉｎｆｏｒｍａｔｉｏｎ  Ｇｒｏｕｐ）、１個のエンドマーカ（Ｅｎｄｍａｒｋｅｒ）、および１個のパッディング“Ｐａｄｄｉｎｇ”のデータ領域から構成される。ここで、パッディングとは、ＦＩＢデータ領域をバイトに合わせるために残ったビットに“０”を入れることである。
ＦＩＧの部分は有用データ領域（ｕｓｅｆｕｌ  ｄａｔａ  ｆｉｅｌｄ）を構成する。各ＦＩＧは、ＦＩＧタイプ、Ｌｅｎｇｔｈ、ＦＩＧデータ領域（ＦＩＧ  ｄａｔａ  ｆｉｅｌｄ）を備えて構成される。ここで、Ｌｅｎｇｔｈは後続のＦＩＧデータ領域のビット長さを表している。また、ＦＩＧタイプとＬｅｎｇｔｈはＦＩＧヘッダを構成している。
【００１９】
図５は、ＦＩＧの構造を示す図である。ここで、図５（ａ）は、ＦＩＧタイプが０（３ビット２進数表示で０００）のＦＩＧデータ領域およびこのＦＩＧ内のＥｘｔｅｎｓｉｏｎ番号が６（５ビット２進数表示で００１１０）のタイプ領域の構造を示している。
また、図５（ｂ）は、ＦＩＧタイプが０のＦＩＧデータ領域およびこのＦＩＧ内のＥｘｔｅｎｓｉｏｎ番号が２７（５ビット２進数表示で１１０１１）のタイプ領域の構造を示している。
【００２０】
図５（ａ）において、ＦＩＧタイプ０のＦＩＧデータ領域は、Ｃ／Ｎ（Ｃｕｒｒｅｎｔ／Ｎｅｘｔ）、ＯＥ（Ｏｔｈｅｒ  Ｅｎｓｅｍｂｌｅ）、Ｐ／Ｄ（Ｐｒｏｇｒａｍｍｅ／Ｄａｔａ）、Ｅｘｔｅｎｓｉｏｎ、およびＥｘｔｅｎｓｉｏｎが６のタイプ０領域を備える。なお、Ｅｘｔｅｎｓｉｏｎが１〜４，７である場合、Ｃ／Ｎ＝０のとき、今回の多重構造を意味し、Ｃ／Ｎ＝１のとき、次回の多重構造であることを意味する。また、Ｃ／Ｎ＝１のとき、タイプ０領域が次の配列に係るものであることを意味する。
【００２１】
また、Ｅｘｔｅｎｓｉｏｎが６，９，１１，１８，２１，２２，２３，２４，２５，２７，３０である場合、Ｃ／Ｎは、タイプ０領域のバージョン番号を示す。
ＯＥは、Ｅｘｔｅｎｓｉｏｎ＝１２，１６，１７，２１，２４，３０であるときに用いられ、ＯＥ＝０は、タイプ０領域の情報がこのアンサンブルに係るものであることを意味する。また、ＯＥ＝１は、他のアンサンブルに係るものであることを意味している。
【００２２】
Ｐ／Ｄ＝１は、タイプ０領域のＳＩｄが、プログラムサービスに使用される１６ビットのＳＩｄであることを意味しており、Ｐ／Ｄ＝０は、タイプ０領域のＳＩｄが、データサービスに使用される表示器３２ビットＳＩｄであることを意味している。
なお、このＰ／Ｄは、Ｅｘｔｅｎｓｉｏｎが２，９，２３，２４のとき使用され、使用されないときには、ＳＩｄは１６ビットフォーマットになる。
【００２３】
Ｅｘｔｅｎｓｉｏｎが６のタイプ０領域は、図５（ａ）に示すように、複数のサービスリンキング（Ｓｅｒｖｉｃｅ  ｌｉｎｋｉｎｇ）の領域から構成される。
各サービスリンキング情報は同一番組放送中の放送局（リンク局）を示す情報であり、Ｉｄリストフラグ（Ｉｄ  ｌｉｓｔ  ｆｌａｇ）、ＬＡ（Ｌｉｎｋａｇｅ  Ａｃｔｕａｔｏｒ）、Ｓ／Ｈ（Ｓｏｆｔ／Ｈａｒｄ）、ＩＬＳ（Ｉｎｔｅｒｎａｔｉｏｎａｌ  Ｌｉｎｋａｇｅ  Ｓｅｔ  Ｉｎｄｉｃａｔｏｒ）、ＬＳＮ（Ｌｉｎｋａｇｅ  Ｓｅｔ  Ｎｕｍｂｅｒ）、Ｉｄリスト取り扱い（Ｉｄ  ｌｉｓｔ  ｕｓａｇｅ）、Ｉｄ数（Ｎｕｍｂｅｒ  ｏｆ  Ｉｄｓ）、Ｉｄリスト（Ｉｄ  ｌｉｓｔ）を有して構成される。
ここで、Ｉｄリストフラグは、Ｉｄリストの有無を示しており、Ｉｄリストフラグ＝１で“Ｉｄリストあり”、Ｉｄリストフラグ＝０で“Ｉｄリストなし”を示している。
なお、“Ｉｄリストなし”の場合、Ｉｄリスト取り扱い（Ｉｄ  ｌｉｓｔ  ｕｓａｇｅ）およびＩｄ数（Ｎｕｍｂｅｒ  ｏｆ  Ｉｄｓ）もない。
ＬＡは、リンク中（アクティブ）であるか否かを示しており、Ｓ／Ｈは、同一サービスであるか否かを示している。ＩＬＳは、リンクが国内のみで有効なのか、国際的に有効であるのかを示しており、ＩＬＳ＝０で国内のみ有効、ＩＬＳ＝１で国際的に有効である。
ＬＳＮは、同一番組を放送しているか否かを示す情報であり、リンクされている全てのサービスに共通の数字が設定される。
Ｉｄリスト取り扱い（Ｉｄ  ｌｉｓｔ  ｕｓａｇｅ）は、Ｉｄリストに含まれるＩｄがＤＡＢ  ＳＩｄであるのか、ＲＤＳ  ＰＩコードであるのか、ＡＭあるいはＲＤＳ以外のＦＭサービスであるのかを示している。また、Ｉｄ数（Ｎｕｍｂｅｒ  ｏｆ  Ｉｄｓ）はＩｄリストに含まれるＩｄ（ＳＩｄ）の数である。Ｉｄリストには複数のＩｄ（ＳＩｄ）が登録されている。
このように、Ｅｘｔｅｎｓｉｏｎが６のタイプ０領域にはＤＡＢサービスに対する代替局（リンク局）に関する情報が含まれる。
【００２４】
また、Ｅｘｔｅｎｓｉｏｎが２７のタイプ０領域は、図５（ｂ）に示すように、ＦＭ放送サービスにおける複数のアナウンスメントサポート（Ａｎｎｏｕｎｃｅｍｅｎｔ  ｓｕｐｐｏｒｔ）の領域から構成される。ここで、アナウンスとは、割り込みを意味する。
ＦＭ放送サービスにおける各アナウンスメントサポートには、ＳＩｄ、Ｒｆｕ（Ｒｅｓｅｒｖｅｄ  ｆｏｒ  ｅｘｔｅｎｄｉｎｇ  ｔｈｅ  ｉｎｔｅｒｎａｔｉｏｎａｌ  ｃｏｄｅ  ｆｉｅｌｄ  ｔｏ  ｔｈｅ  ｆｕｌｌ  ｃｏａｒｓｅ  ｃｏｄｅ  ｒａｎｇｅ）、Ｎｕｍｂｅｒ  ｏｆ  ＰＩ  ｃｏｄｅｓ、ＰＩ１〜ＰＩｎが含まれる。ＳＩｄは、どのサービスについてであるかを示している。ＲＤＳとＤＡＢが同一のサービスである場合、ＲＤＳにおけるＰＩコードとＤＡＢにおけるＳＩｄとは、一般に同一である。Ｎｕｍｂｅｒ  ｏｆ  ＰＩ  ｃｏｄｅｓは、ＰＩコードの数ｎを示している。
このように、Ｅｘｔｅｎｓｉｏｎが２７のタイプ０領域には、ＤＡＢサービスの割り込みを同一内容でサポートするＦＭ放送局の情報が含まれている。ただし、放送局によっては、この情報が含まれず、タイプ０領域の情報で通知されない場合がある。
【００２５】
図６は、ＤＡＢとＦＭ放送で同じ内容の割り込みが発生した場合を示す図である。図６（ａ）の例は、ＤＡＢを受信して音声を再生している間に、ＦＭ放送とＤＡＢで同じ内容の割り込みが発生した場合を示している。この場合、双方の割り込みイベントがほぼ同時に発生しても、ＤＡＢはＦＭ放送よりエンコードに時間がかかるため、図６（ａ）に示すように、ＦＭ放送の割り込みが先に検出されて割り込み音声がスピーカ１０から音声出力される。この後、ＤＡＢの割り込みも検出されても、先に検出されたＦＭ放送の割り込みの音声出力が終了するまでＤＡＢの割り込みの音声は出力されない。
しかしながら、ＦＭ放送の割り込み音声の出力が終了すると、後に検出されたＤＡＢの割り込みの音声が直ちに出力される。このとき出力される音声は、すでに出力されたＦＭ放送の割り込み音声の後半部分と同じ内容であるので、図６（ａ）で符号Ａを付した期間で、ＦＭ放送とＤＡＢとのタイムラグによって既に出力されたＦＭ放送の割り込みと同じ音声が繰り返し出力されることになる。
【００２６】
そこで、実施の形態１に係る放送受信装置では、ＤＡＢを受信中にＦＭ放送の割り込みが発生した場合に、割り込みのＦＭ放送局が受信中のＤＡＢのリンク局であれば、同じ内容のＤＡＢの割り込みイベントが同時に発生しており、後に検出できると判断して、ＦＭ放送の割り込みを無効とし音声出力を行わないようにする。
すなわち、図６（ｂ）に示す符号Ｂを付した時点でＦＭ放送の割り込みを検出した際に、この割り込みがすでに受信しているＤＡＢのリンク局であるか否かを判定し、リンク局であれば、先に検出された割り込みであっても音声出力をせず、後に検出されるＤＡＢの割り込みを音声出力する。
このようにすることで、同じ内容の割り込みの音声が繰り返し出力される煩わしさを回避することができ、さらに割り込み内容を冒頭から出力することができる。
なお、ＦＭ放送がＤＡＢのリンク局であるか否かの判定は、割り込みが検出された時点で瞬時に行うことができる。従って、ＦＭ放送の割り込みがＤＡＢのリンク局でない場合であっても、この割り込みを冒頭から出力することができ、聞き逃しも発生しない。
【００２７】
次に動作について説明する。
図７は、実施の形態１に係る放送受信装置の動作を示すフローチャートであって、この発明に係る割り込み判定方法を示している。
ＤＡＢアンテナ３を介してＤＡＢを受信している間に、ＦＩＣ解析部６ｃは、ＦＩＣをデータ解析してＤＡＢの割り込みイベントが発生したか否かを判定する（ステップＳＴ１）。割り込み要求信号が検出されてＤＡＢの割り込みイベントが発生したと判断すると（ステップＳＴ１；ＹＥＳ）、ＦＩＣ解析部６ｃは割り込み要求信号を割り込み判定部６ｂに出力する。
【００２８】
割り込み判定部６ｂは、ＦＩＣ解析部６ｃによって検出された割り込み要求信号を受けると、このＤＡＢの割り込みを有効と判定し、その旨を音声制御部６ｄに通知する。音声制御部６ｄは、ＤＳＰ８に指示して、割り込み判定部６ｂによって有効と判定されたＤＡＢの割り込みの音声出力を行うよう制御する。これにより、ＤＡＢの割り込みは、ＤＳＰ８によって音声信号に変換され、ＡＭＰ９で増幅された後、スピーカ１０によって音声出力される（ステップＳＴ２）。
【００２９】
一方、ＤＡＢの割り込みイベントが発生しておらず（ステップＳＴ１；ＮＯ）、ＤＡＢを受信している間、ＲＤＳ解析部６ａは、ＲＤＳ信号をデータ解析して、ＦＭ放送の割り込みイベントが発生したか否かを判定する（ステップＳＴ３）。このとき、ＦＭ放送の割り込みが発生しなければ（ステップＳＴ３；ＮＯ）、処理を終了する。
また、ＦＭ放送の割り込みイベントが発生したと判断した場合（ステップＳＴ３；ＹＥＳ）、ＲＤＳ解析部６ａは、その割り込みのＦＭ放送局を示す情報（ＰＩコード）を割り込み判定部６ｂに通知する。
【００３０】
割り込み判定部６ｂは、ＲＤＳ解析部６ａによって検出されたＦＭ放送の割り込みイベントが、ＤＡＢで受信しているサービスのリンク局であるか否かを判定する（ステップＳＴ４）。例えば、ＦＩＣ解析部６ｃが、図５（ａ）に示したＥｘｔｅｎｓｉｏｎが６のタイプ０領域の内容をデータ解析してサービスリンキング情報を抽出する。このサービスリンキング情報に基づいて、割り込み判定部６ｂは、ＲＤＳ解析部６ａが検出した割り込みのＦＭ放送局がＤＡＢサービスに対するリンク局であるかどうかを判定する。
【００３１】
ここで、割り込みのＦＭ放送局が受信中のＤＡＢサービスのリンク局ではない場合（ステップＳＴ４；ＮＯ）、割り込み判定部６ｂは、この割り込みを有効と判定し、その旨を音声制御部６ｄに通知する。音声制御部６ｄは、ＤＳＰ８に指示して割り込み判定部６ｂによって有効と判定されたＦＭ放送の割り込みの音声出力を行うよう制御する。
これにより、ＦＭ放送の割り込みがＤＳＰ８によって音声信号に変換され、ＡＭＰ９で増幅された後、スピーカ１０によって音声出力される（ステップＳＴ５）。
【００３２】
また、割り込みのＦＭ放送局が受信中のＤＡＢサービスのリンク局である場合（ステップＳＴ４；ＹＥＳ）、割り込み判定部６ｂは、この割り込みを無効と判定し、その旨を音声制御部６ｄに通知する。音声制御部６ｄは、割り込み判定部６ｂによって無効と判定された割り込みの音声出力を行わないよう制御する。これにより、ＦＭ放送の割り込みは音声出力されず、この後に発生する同じ内容のＤＡＢの割り込みが音声出力される。
【００３３】
以上のように、この実施の形態１によれば、割り込み判定部６ｂが、ＤＡＢを受信中にＦＭ放送の割り込みが発生した場合、ＤＡＢの受信信号から検出したリンク情報に基づいて、割り込みの放送局が受信中のＤＡＢのリンク局ではない場合に割り込みが有効であると判定し、割り込みの放送局がリンク局である場合には割り込みが無効であると判定し、音声制御部６ｄが、割り込み判定部６ｂが有効と判定した割り込みの音声出力を行い、無効と判定した割り込みの音声出力を行わないよう制御する。
このようにすることで、ＤＡＢとＦＭ放送とで同じ内容の音声割り込みが発生した場合であっても、同じ音声の繰り返し出力を防止することができる。
また、ＦＭ放送がＤＡＢのリンク局であるか否かの判定は割り込みが検出された時点で瞬時に行うことができるので、ＤＡＢのリンク局でない場合であっても、割り込みを冒頭から出力することができ、聞き逃しも発生しない。
【００３４】
実施の形態２．
実施の形態２は、ＦＭ放送（またはＤＡＢ）の割り込みを音声出力中にＤＡＢ（またはＦＭ放送）の割り込みイベントが発生し、ＦＭ放送（またはＤＡＢ）の割り込みの音声出力が終了した時点でＤＡＢ（またはＦＭ放送）の割り込みの音声出力が終了していない場合に、音声出力を終了した割り込みの放送局と音声出力が未終了の割り込みの放送局とが互いにリンク局であれば、音声出力が未終了の割り込みを直ちに無効として音声出力を行わないようにしたものである。なお、実施の形態２に係る放送受信装置は、実施の形態１の構成と基本的に同一であるので、構成については図１を参照することとする。
【００３５】
図８は、ＦＭ放送の割り込みの音声出力終了後に同じ内容のＤＡＢの割り込みの音声出力が未終了である場合を示す図である。図８（ａ）の例は、ＣＤプレーヤ７によってＣＤから読み出された音声を再生している間に、ＦＭ放送とＤＡＢで同じ内容の割り込みが発生した場合を示している。この場合、双方の割り込みイベントがほぼ同時に発生しても、ＤＡＢはＦＭ放送よりエンコードに時間がかかるため、図８（ａ）に示すようにＦＭ放送の割り込みが先に検出されて割り込み音声がスピーカ１０から音声出力される。
この後、ＤＡＢの割り込みも検出されても、先に検出されたＦＭ放送の割り込みの音声出力が終了するまでＤＡＢの割り込みの音声は出力されない。
しかしながら、ＦＭ放送の割り込み音声の出力が終了すると、後に検出されたＤＡＢの割り込みの音声が直ちに出力される。このとき出力される音声は、すでに出力されたＦＭ放送の割り込み音声の後半部分と同じ内容であるので、図８（ａ）で符号Ｃを付した期間で、ＦＭ放送とＤＡＢとのタイムラグによって既に出力されたＦＭ放送の割り込みと同じ音声が繰り返し出力されることになる。
【００３６】
そこで、実施の形態２に係る放送受信装置では、例えばＦＭ放送の割り込みの音声出力が終了した時点でＤＡＢの割り込みの音声出力が終了していない場合に、割り込みの音声出力が終了したＦＭ放送局が、割り込みの音声出力が残っているＤＡＢのリンク局であれば、ＤＡＢの割り込みを無効とし音声出力を行わないようにする。
すなわち、図８（ｂ）に示す符号Ｄを付したＦＭ放送の割り込みの音声出力が終了した時点で、この割り込みのＦＭ放送局が音声出力の終了していない割り込みのＤＡＢのリンク局であるか否かを判定し、リンク局であれば、割り込みの音声出力が残っていても音声出力を行わない。このようにすることで、同じ内容の音声が繰り返し出力される煩わしさを回避することができる。
【００３７】
次に動作について説明する。
図９は、実施の形態２に係る放送受信装置の動作を示すフローチャートであって、この発明に係る割り込み判定方法を示している。
例えば、ＣＤプレーヤ７によってＣＤから読み出された音声を再生している間、割り込み判定部６ｂは、ＲＤＳ解析部６ａまたはＦＩＣ解析部６ｃのデータ解析結果に基づいて割り込みの音声を出力中であるか否かを判定する（ステップＳＴ１ａ）。割り込み音声を出力中でなければ（ステップＳＴ１ａ；ＮＯ）、処理を終了する。または、図９の処理をステップＳＴ１ａから繰り返す。
【００３８】
割り込み音声を出力中の場合（ステップＳＴ１ａ；ＹＥＳ）、割り込み判定部６ｂは、音声制御部６ｄに問い合わせて、割り込み終了イベント、すなわち、音声出力が終了する割り込みがあるか否かを判定する（ステップＳＴ２ａ）。割り込みイベントが発生しなければ（ステップＳＴ２ａ；ＮＯ）、終了するまでステップＳＴ２ａの判定を繰り返す。
なお、割り込み判定部６ｂは、ＲＤＳ解析部６ａまたはＦＩＣ解析部６ｃのデータ解析結果に基づいて、先に検出された割り込みの音声出力中に、別の割り込みイベントが発生したか否かを判定している。
割り込み終了イベントが発生し（ステップＳＴ２ａ；ＹＥＳ）、このとき、新たに別の割り込みイベントが検出されなければ（ステップＳＴ３ａ；ＮＯ）、音声制御部６ｄは、ＤＳＰ８に指示して割り込み音声の内容に応じて音声出力を終了するよう制御する。これにより、割り込み音声の出力が終了する（ステップＳＴ４ａ）。
【００３９】
別の割り込みイベントが検出された場合（ステップＳＴ３ａ；ＹＥＳ）、割り込み判定部６ｂは、ＲＤＳ解析部６ａまたはＦＩＣ解析部６ｃのデータ解析結果に基づいて、新たに検出された別の割り込みの放送局がすでに終了した割り込みの放送局のリンク局であるか否かを判定する（ステップＳＴ５ａ）。
例えば、ＦＭ放送の割り込みが終了した時点でＤＡＢの割り込みイベントが検出された場合、図５（ａ）に示したＥｘｔｅｎｓｉｏｎが６のタイプ０領域の内容から抽出されたサービスリンキング情報に基づいて、割り込み判定部６ｂが、終了した割り込みのＦＭ放送局が、新たに検出された割り込みのＤＡＢのリンク局であるかどうかを判定する。
反対に、ＤＡＢの割り込みが終了した時点でＦＭ放送の割り込みイベントが検出された場合、図５（ａ）に示したＥｘｔｅｎｓｉｏｎが６のタイプ０領域の内容から抽出されたサービスリンキング情報に基づいて、割り込み判定部６ｂが、新たに検出された割り込みのＦＭ放送局が、終了した割り込みのＤＡＢのリンク局であるかどうかを判定する。
【００４０】
新たに検出された別の割り込みの放送局がすでに終了した割り込みの放送局のリンク局でない場合（ステップＳＴ５ａ；ＮＯ）、割り込み判定部６ｂは、別の割り込みを有効と判定し、その旨を音声制御部６ｄに通知する。
音声制御部６ｄは、ＤＳＰ８に指示して割り込み判定部６ｂが有効と判定した割り込みの音声出力を行うよう制御する。これにより、別の割り込みがＤＳＰ８によって音声信号に変換され、ＡＭＰ９で増幅された後、スピーカ１０によって音声出力が開始される（ステップＳＴ６ａ）。
【００４１】
新たに検出された別の割り込みの放送局がすでに終了した割り込みの放送局のリンク局である場合（ステップＳＴ５ａ；ＹＥＳ）、割り込み判定部６ｂは、この別の割り込みを無効と判定してその旨を音声制御部６ｄに通知する。
音声制御部６ｄは、割り込み判定部６ｂが無効と判定した割り込みの音声出力を行わないよう制御する。これにより、別の割り込みは音声出力されず、同じ音声が繰り返し出力されることがない。
【００４２】
以上のように、この実施の形態２によれば、割り込み判定部６ｂが、ＦＭ放送およびＤＡＢのいずれか一方の割り込みの音声出力が終了した時点で、ＦＭ放送およびＤＡＢの他方の割り込みの音声出力が終了していない場合、音声出力が終了した一方の割り込みの放送局が他方の割り込みのリンク局でない場合に、他方の割り込みを有効と判定し、一方の割り込みの放送局がリンク局である場合は、他方の割り込みを無効と判定する。
このようにすることでも、ＤＡＢとＦＭ放送で同じ内容の音声割り込みが発生した場合であっても、同じ音声の繰り返し出力を防止することができる。
また、リンク局であるか否かの判定は、割り込みが検出された時点で瞬時に行うことができるので、リンク局でない場合であっても、割り込みを冒頭から出力することができ、聞き逃しも発生しない。
【００４３】
実施の形態３．
実施の形態３は、割り込みのＦＭ放送局が受信中のＤＡＢのリンク局であっても、ＤＡＢの受信状態が所定の条件よりも悪化している場合にはＦＭ放送の割り込みを有効であると判定し、ＦＭ放送の割り込みを音声出力するようにしたものである。
なお、実施の形態３に係る放送受信装置は、実施の形態１の構成と基本的に同一であるので、構成については図１を参照することとする。
【００４４】
次に動作について説明する。
図１０は、実施の形態３に係る放送受信装置の動作を示すフローチャートであり、この発明に係る割り込み判定方法を示している。図１０において、ステップＳＴ１ｂからステップＳＴ３ｂまでの処理は、実施の形態１で示した図７のステップＳＴ１からステップＳＴ３までの処理と同様であるので説明を省略する。
【００４５】
ＤＡＢを受信している間、例えば、ＤＡＢデコーダ５は、ＤＡＢの受信強度やデータの誤り発生率などから、ＤＡＢの受信状態が所定の閾値よりも良好であるか否かを判定している。ＦＭ放送の割り込みイベントが発生したと判断した場合（ステップＳＴ３ｂ；ＹＥＳ）、ＲＤＳ解析部６ａは、その割り込みのＦＭ放送局を示す情報（ＰＩコード）を割り込み判定部６ｂに通知する。割り込み判定部６ｂは、この通知を受けると、ＦＩＣ解析部６ｃを介してＤＡＢデコーダ５に問い合わせてＤＡＢの受信状態の判定結果を受け取る。
【００４６】
このとき、ＤＡＢの受信状態が良好である場合（ステップＳＴ４ｂ；ＹＥＳ）、割り込み判定部６ｂは、ＲＤＳ解析部６ａによって検出されたＦＭ放送の割り込みイベントが、ＤＡＢで受信しているサービスのリンク局であるか否かを判定する（ステップＳＴ５ｂ）。割り込みのＦＭ放送局が受信中のＤＡＢサービスのリンク局ではない場合（ステップＳＴ５ｂ；ＮＯ）、ステップＳＴ６ｂの処理に移行する。
【００４７】
また、割り込みのＦＭ放送局が受信中のＤＡＢサービスのリンク局である場合（ステップＳＴ５ｂ；ＹＥＳ）、割り込み判定部６ｂは、この割り込みを無効と判定してその旨を音声制御部６ｄに通知する。音声制御部６ｄは、割り込み判定部６ｂによって無効と判定された割り込みの音声出力を行わないよう制御する。これにより、ＦＭ放送の割り込みは音声出力されず、この後に発生する同じ内容のＤＡＢの割り込みが音声出力される。
【００４８】
ＤＡＢの受信状態が良好でない場合（ステップＳＴ４ｂ；ＮＯ）、もしくは、割り込みのＦＭ放送局が受信中のＤＡＢサービスのリンク局でない場合（ステップＳＴ５ｂ；ＮＯ）、割り込み判定部６ｂは、この割り込みを有効と判定してその旨を音声制御部６ｄに通知する。音声制御部６ｄは、ＤＳＰ８に指示して割り込み判定部６ｂによって有効と判定されたＦＭ放送の割り込みの音声出力を行うよう制御する。
これにより、ＦＭ放送の割り込みがＤＳＰ８によって音声信号に変換され、ＡＭＰ９で増幅された後、スピーカ１０によって音声出力される（ステップＳＴ６ｂ）。
【００４９】
以上のように、この実施の形態３によれば、割り込み判定部６ｂが、割り込みのＦＭ放送局が受信中のＤＡＢのリンク局であっても、ＤＡＢの受信状態が所定の条件よりも悪化している場合にはＦＭ放送の割り込みを有効であると判定する。このようにすることで、ＤＡＢの受信状態が悪く、ＤＡＢの割り込みの音声内容が聞き取りにくい場合には、ＦＭ放送の割り込みが同一内容であっても音声出力を行うことにより、確実に割り込み内容を聞き取ることができる。
【００５０】
実施の形態４．
実施の形態４では、ＦＭ放送の割り込みの放送局が受信中のＤＡＢのアンサンブルに規定されているサービスのいずれかのリンク局である場合に割り込みが無効であると判定し、いずれのリンク局でもない場合には割り込みが有効であると判定する。
なお、実施の形態４に係る放送受信装置は、実施の形態１の構成と基本的に同一であるので、構成については図１を参照することとする。
【００５１】
次に動作について説明する。
図１１は、実施の形態４に係る放送受信装置の動作を示すフローチャートであり、この発明に係る割り込み判定方法を示している。図１１において、ステップＳＴ１ｃからステップＳＴ３ｃまでの処理は、実施の形態１で示した図７のステップＳＴ１からステップＳＴ３までの処理と同様であり、ステップＳＴ４ｃの処理は、実施の形態３で示した図１０のステップＳＴ４ｃの処理と同様であるので説明を省略する。
【００５２】
ここで、ＤＡＢの受信状態が良好である場合（ステップＳＴ４ｃ；ＹＥＳ）、割り込み判定部６ｂは、ＲＤＳ解析部６ａにより検出されたＦＭ放送の割り込みイベントが、受信中のＤＡＢのアンサンブルに規定されているサービスのいずれかのリンク局であるか否かを判定する（ステップＳＴ５ｃ）。
例えば、ＦＩＣ解析部６ｃが、図５（ｂ）に示したＥｘｔｅｎｓｉｏｎが２７のタイプ０領域の内容をデータ解析して、ＦＭ放送サービスにおける割り込みサポート情報（Ａｎｏｕｎｃｅｍｅｎｔ  ｓｕｐｐｏｒｔ）を抽出する。この割り込みサポート情報に基づいて、割り込み判定部６ｂは、ＲＤＳ解析部６ａが検出した割り込みのＦＭ放送局が図２で示したようなＤＡＢのサービスにおけるいずれかのリンク局であるかどうかを判定する。
【００５３】
割り込みのＦＭ放送局が受信中のＤＡＢのサービスにおけるいずれのリンク局でもない場合（ステップＳＴ５ｃ；ＮＯ）、または、ＤＡＢの受信状態が良好でない場合（ステップＳＴ４ｃ；ＮＯ）、割り込み判定部６ｂは、この割り込みを有効と判定してその旨を音声制御部６ｄに通知する。音声制御部６ｄは、ＤＳＰ８に指示して割り込み判定部６ｂによって有効と判定されたＦＭ放送の割り込みの音声出力を行うよう制御する。
これにより、ＦＭ放送の割り込みがＤＳＰ８によって音声信号に変換され、ＡＭＰ９で増幅された後、スピーカ１０によって音声出力される（ステップＳＴ６ｃ）。
【００５４】
一方、割り込みのＦＭ放送局が受信中のＤＡＢのサービスにおけるいずれかのリンク局である場合（ステップＳＴ５ｃ；ＹＥＳ）、割り込み判定部６ｂは、この割り込みを無効と判定してその旨を音声制御部６ｄに通知する。音声制御部６ｄは、割り込み判定部６ｂによって無効と判定された割り込みの音声出力を行わないよう制御する。
【００５５】
以上のように、この実施の形態４によれば、割り込み判定部６ｂが、ＦＭ放送の割り込みの放送局が受信中のＤＡＢのアンサンブルに規定されているサービスのいずれかのリンク局である場合に割り込みが無効であると判定し、いずれのリンク局でもない場合には割り込みが有効であると判定する。このように、受信中のＤＡＢのアンサンブルに規定されるサービスのいずれかのリンク局であるＦＭ放送局の割り込みも抑止することで、割り込みを音質のよいＤＡＢで優先的に聞くことができる。
【００５６】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５７】
１  ＦＭアンテナ、２  ＦＭチューナ、３  ＤＡＢアンテナ、４  ＤＡＢチューナ、５  ＤＡＢデコーダ、６  マイコン、６ａ  ＲＤＳ解析部、６ｂ  割り込み判定部、６ｃ  ＦＩＣ解析部、６ｄ  音声制御部、７  ＣＤプレーヤ、８  ＤＳＰ、８ａ  ＲＤＳデコーダ、９  アンプ（ＡＭＰ）、１０  スピーカ。
【図１】
2014175768.tif 000003
【図２】
2014175768.tif 000004
【図３】
2014175768.tif 000005
【図４】
2014175768.tif 000006
【図５】
2014175768.tif 000007
【図６】
2014175768.tif 000008
【図７】
2014175768.tif 000009
【図８】
2014175768.tif 000010
【図９】
2014175768.tif 000011
【図１０】
2014175768.tif 000012
【図１１】
2014175768.tif 000013